(57)【特許請求の範囲】
【請求項１】
熱変色層が通電発熱層に接触、近接又は中間層を介して配置され、前記通電発熱層に通電することにより、熱変色層を変色させる通電発熱変色体において、前記通電発熱層が非導電性支持体表面に配設された金属薄膜による適宜形状の導電発熱回路であり、前記金属薄膜が、常温における体積抵抗率が１．４×１０−６Ω・ｃｍ〜２．５×１０−５Ω・ｃｍの範囲にある金属から選ばれる、厚さ４００Å〜１００μｍであり、且つ単位面積当り発熱量が、常温域で１０×１０−３Ｗ／ｃｍ２  〜３Ｗ／ｃｍ２  の範囲にある薄膜からなり、０．８Ｖ〜１５Ｖの電圧印加により、熱変色層を熱変色可能に構成した通電発熱変色体。
【請求項２】
熱変色層の下層に非変色像が配設されており、前記熱変色層の変色により非変色像が視覚可能に構成された請求項１記載の通電発熱変色体。
【請求項３】
通電発熱層の上層には、非変色性ベース層が配設されてなる請求項１記載の通電発熱変色体。
【請求項４】
導電発熱回路の一端及び他端に電極が形成されてなる請求項１記載の通電発熱変色体。
【請求項５】
金属薄膜層が銅箔からなり、エッチング加工により得られた導電発熱回路である請求項１記載の通電発熱変色体。
【請求項６】
導電発熱回路は、複数の細幅の発熱線路が３ｍｍ以下の間隔に近接配置されてなる請求項１記載の通電発熱変色体。
【請求項７】
導電発熱回路は、太幅線と細幅線の組合わせからなり、前記細幅線の箇所に熱変色層が形成されてなる請求項１記載の通電発熱変色体。
【請求項８】
導電発熱回路は、一様な厚みを備えた１ｍｍ幅から５ｍｍ幅にテーパー状に拡幅されてなる請求項１記載の通電発熱変色体。
【請求項９】
熱変色層が通電発熱層に接触、近接又は中間層を介して配置され、前記通電発熱層に通電することにより、熱変色層を変色させる通電発熱変色体において、前記通電発熱層が非導電性支持体表面に配設された金属薄膜による適宜形状の導電発熱回路であり、前記金属薄膜が、常温における体積抵抗率が１．４×１０−６Ω・ｃｍ〜２．５×１０−５Ω・ｃｍの範囲にある金属から選ばれる、厚さ４００Å〜１００μｍであり、且つ単位面積当り発熱量が、常温域で１０×１０−３Ｗ／ｃｍ２  〜３Ｗ／ｃｍ２  の範囲にある薄膜からなり、一端及び他端に電極が形成されており、０．８Ｖ〜１５Ｖの電圧印加により、熱変色層を熱変色可能に構成した通電発熱変色体の、前記電極と接続して通電変色させる下記構成（１）からなる通電変色具セット。
（１）電気二重層コンデンサを保護部材に主体部を装着し、端子部を前記通電変色体の電極と接続自在に構成してなり、放電電流を前記導電発熱回路に供給する通電変色具と、前記電気二重層コンデンサに電力を供給して充電させる電源体からなる通電変色具セット。
【請求項１０】
電気二重層コンデンサは、静電容量範囲０．２２〜１００Ｆの範囲から選ばれ、前記コンデンサに充電電力を供給する直流電源は、単セル当り０．５Ｖ〜６．０Ｖの電圧を印加する電池又はＡＣアダプターによる変換電流である請求項９記載の通電変色具セット。
【請求項１１】
電気二重層コンデンサの端子部には、前記電極以外の導電材料に接触することによるショートを回避させるショート防止機構が設けられてなる請求項９記載の通電変色具。
【請求項１２】
電源体は電池をケース内にセットしてなり、前記電源の電極と電気二重層コンデンサの端子部との間には誤接続防止機構が設けられてなる請求項９記載の通電加熱変色具。
【請求項１３】
電気二重層コンデンサの端子は、その端子をリング状導電部材に接続して端子部を構成していると共に該端子部を内在させ、端部を開口した環状突部からなるショート防止機構が保護部材の前端部に設けられてなる請求項９記載の通電変色具。
【請求項１４】
電気二重層コンデンサの端子部と、通電発熱体の電極との接続をガイドするガイド機構が保護部材の前端に設けられてなる請求項９記載の通電変色具。
【請求項１５】
電気二重層コンデンサには、発光体が接続され、充電時及び可使状態において点灯するよう構成した請求項９記載の通電変色具。
【発明の詳細な説明】
【０００１】
【産業上の利用分野】
本発明は通電発熱変色体及び前記変色体を変色させる通電変色具セットに関する。さらに詳細には、低電圧の印加により通電発熱体を熱変色層の変色に要する適正温度に速やかに昇温させ、比較的大面積の熱変色層を速やかに熱変色可能に構成した通電発熱体及び前記変色体を簡易且つ過熱等の危険もなく安全に変色させる軽便な通電変色具セットに関する。
【０００２】
【従来の技術】
従来より、通電発熱体を発熱させて熱変色層を変色させる試みは、幾つか開示されている。
例えば、導電性インキ等の印刷層を発熱させ、前記印刷層上に形成した熱変色層を変色させる試み（実公平５−３２８６２号公報、実開平６−２７１８０号公報等）やセラミック材料からなる正特性抵抗発熱体を適用する試み（特開平４−１０９９８６号公報等）が開示されている。
【０００３】
【発明が解決しようとする課題】
ところで、前記導電性インキ等の導電印刷層による系では、前記導電印刷層自体が導電性金属微粉末がバインダーに分散固着されているので、抵抗値が比較的高く、短時間での昇温には高電圧の印加を必要とし、更には、前記導電性インキは高粘性のため、複雑かつ細線の印刷回路を形成することが困難であり、加えて印刷層の厚みバラツキ等を余儀なくされ、所望の均質性の発熱回路が得られない。  一方、セラミック材料からなる正特性抵抗発熱体を適用する系では、発熱温度を自己制御できるが、発熱までの時間が長い上、材料自体が硬質であると共に大きさがその成形性の面から制約されており、屈曲性或いは比較的大面積の熱変色には不向きであった。
本発明は前記した従来の通電発熱体による熱変色系の不具合を解消し、低電圧の印加により、長い距離にわたる、比較的大面積の熱変色層を速やかに変色させることができ、更には細線の導電発熱回路の多様なパターンが形成でき、その均質性も満たす通電発熱変色体、及び前記変色体を低電圧の印加により速やかに且つ過熱の危険もなく、効果的に熱変色させる軽便且つ安全性の高い通電変色具セットを提供しようとするものである。
【０００４】
【課題を解決するための手段】
本発明を図面について説明する。（図１〜図１８参照）
第１の発明は熱変色層が通電発熱層に接触、近接又は中間層を介して配置され、前記通電発熱層に通電することにより、熱変色層を変色させる通電発熱変色体において、前記通電発熱層１１が非導電性支持体１３表面に配設された金属薄膜による適宜形状の導電発熱回路であり、前記金属薄膜が、常温における体積抵抗率が１．４×１０−６Ω・ｃｍ〜２．５×１０−５Ω・ｃｍの範囲にある金属から選ばれる、厚さ４００Å〜１００μｍであり、且つ単位面積当り発熱量が、常温域で１０×１０−３Ｗ／ｃｍ２  〜３Ｗ／ｃｍ２  の範囲にある薄膜からなり、０．８Ｖ〜１５Ｖの電圧印加により、熱変色層１２を熱変色可能に構成した通電発熱変色体１を要件とする。  第２の発明は、熱変色層が通電発熱層に接触、近接又は中間層を介して配置され、前記通電発熱層に通電することにより、熱変色層を変色させる通電発熱変色体において、前記通電発熱層１１が非導電性支持体１３表面に配設された金属薄膜による適宜形状の導電発熱回路であり、前記金属薄膜が、常温における体積抵抗率が１．４×１０−６Ω・ｃｍ〜２．５×１０−５Ω・ｃｍの範囲にある金属から選ばれる、厚さ４００Å〜１００μｍであり、且つ単位面積当り発熱量が、常温域で１０×１０−３Ｗ／ｃｍ２  〜３Ｗ／ｃｍ２  の範囲にある薄膜からなり、一端及び他端に電極１７が形成されており、０．８Ｖ〜１５Ｖの電圧印加により、熱変色層１２を熱変色可能に構成した通電発熱変色体１の、前記電極１７と接続して通電変色させる下記構成（１）、即ち、
（１）電気二重層コンデンサ２１を保護部材２２に主体部を装着し、端子部２３を前記通電発熱変色体１の電極１７と接続自在に構成してなり、放電電流を前記導電回路に通電する通電変色具２と、前記電気二重層コンデンサ２１に電力を供給して充電させる電源体３からなる通電変色具セットを要件とする。
前記において、更には熱変色層１２の下層に非変色像１５が配設されており、前記熱変色層１２の変色により非変色像１５が視覚可能に構成されてなること、通電発熱層１１の上層には、非変色性ベース層１４が配設されてなること、導電発熱回路の一端及び他端に電極１７が形成されてなること、金属薄膜層が銅箔からなり、エッチング加工により得られた導電発熱回路であること、導電発熱回路は、複数の細幅の発熱線路が３ｍｍ以下の間隔に近接配置されてなること、導電発熱回路は、太幅線と細幅線の組合わせからなり、前記細幅線の箇所に熱変色層１２が形成されてなること、導電発熱回路は、一様な厚みを備えた１ｍｍ幅から５ｍｍ幅にテーパー状に拡幅されてなること、等を要件とする。
更には第２の発明において、電気二重層コンデンサ２１は、静電容量範囲０．２２〜１００Ｆの範囲から選ばれ、前記コンデンサ２１に充電電力を供給する直流電源は、単セル当り０．５Ｖ〜６．０Ｖの電圧を有する電池又はＡＣアダプターによる変換電流であること、電気二重層コンデンサ２１の端子部２３には、前記電極１７以外の導電材料に接触することによるショートを回避させるショート防止機構２４が設けられてなること、電源体３は電池をケース内にセットしてなり、前記電源体３の電極３３と電気二重層コンデンサ２１の端子部２３との間には誤接続防止機構２５が設けられてなること、電気二重層コンデンサ２１の端子は、その端子をリング状導電部材２３１に接続して端子部２３を構成していると共に該端子部を内在させ、端部を開口した環状突部からなるショート防止機構２４が保護部材２２の前端部に設けられてなること、電気二重層コンデンサの端子部２３と、通電発熱層１１の電極との接続をガイドするガイド機構２６が保護部材２２の前端に設けられてなること、電気二重層コンデンサ２１には、発光体２７が接続され、充電時及び可使状態において点灯するよう構成したこと、等を要件とする。
【０００５】
前記第１の発明について、更に詳細に説明する。
本発明は、良導電性金属材料による薄膜の導電発熱回路を形成することにより、低電圧の印加により所望の発熱温度に速やかに昇温させ、熱変色層を熱変色させることを特徴とし、既述の如き導電性インキによる高抵抗値の導電印刷層の系の不具合を解消しようとするものである。
金属薄膜層を形成する金属は、体積抵抗率１．４×１０−６〜２．５×１０−５Ω・ｃｍの範囲にあるものが有効であり、具体的には、銅、銅合金、アルミニウム、ニッケル、亜鉛、スズ、チタン、金、銀等の良導電性金属材料が挙げられるが、比較的低コストであり、低抵抗値を有する銅からなる薄膜を適用した系が最も有効である。更に、具体的には、プラスチックフイルム等の基材表面に形成した銅箔層（通常、２μｍ〜５０μｍ厚程度、より好ましくは３〜１５μｍ厚）をエッチング加工により所望の発熱回路パターンを配設した系が、前記回路パターンの形成し易さ、導電性、持久性、発熱性等の面で実用性を満たす。
更に、目的に応じて、金属蒸着による４００Å程度のものから、他の金属箔による１００μｍ程度の厚みの範囲が適用される。
単位面積当りの発熱量は、１０×１０−３Ｗ／ｃｍ２  〜３Ｗ／ｃｍ２  、好ましくは５０×１０−３〜２Ｗ／ｃｍ２  、より好ましくは、２００×１０−３Ｗ／ｃｍ２  〜１Ｗ／ｃｍ２  であり、前記好適範囲の発熱量に設定することにより、速やかに所望の発熱温度に昇温し、且つ過熱等による危険もなく安全温度に保持される。
１０×１０−３Ｗ／ｃｍ２  未満の系では低電圧の印加では、短時間で発熱しない。一方、３Ｗ／ｃｍ２  を越えると瞬時に高温に発熱し危険性を有する。
印加電圧は、０．８Ｖ未満では、常温域で熱変色層を変色させて視覚できる程度の温度に短時間で昇温でき難いし、１５Ｖ以上では、玩具用等への適用に不向きであり、通常、１．５Ｖ〜９Ｖの範囲の直流電源が印加される。
前記した導電発熱回路の上層には、特殊な系を除き、通常、非変色性顔料の分散インキ等を隠蔽印刷して、前記回路の視覚を妨げる非変色性ベース層１４を形成し、次いで、前記非変色性ベース層１４上に非変色像１５を非熱変色性インキにより形成し、前記非変色像１５の上層に該非変色像の常温での視覚を妨げる熱変色層１２を形成する。ここで、導電発熱回路パターンは、発熱により熱変色層１２を変色させて非変色像１５を顕出させる関連性を満たすよう、非変色像１５に相応するパターンの設計がなされる。
非変色性輪郭層１６は、熱変色層１２の変色による熱の拡がりにより輪郭が不鮮明となることを防ぐためのものであり、適宜、配設される。
熱変色層１２を形成する熱変色性材料は、従来より公知の感温変色性色素を含む熱変色性材料、例えば、電子供与性呈色性有機化合物、電子受容性化合物及び前記両者の呈色反応を可逆的に生起させる有機化合物媒体の３成分を含む熱変色性材料又は前記成分の樹脂固溶体の微粒子の形態の熱変色性を示す熱変色性材料（例えば、特公昭５１−３５４１４号公報、特公昭５１−４４７０６号公報、特公平１−２９３９８号公報等）を挙げることができる。前記は所定の温度（変色点）を境として、その前後で変色し、変化前後の両状態のうち常温域では特定の一方の状態しか存在しえない。即ち、もう一方の状態では、その状態が発現するのに要する熱または冷熱が適用されている間は維持されるが、前記熱又は冷熱の適用がなくなれば、常温域で呈する状態に戻る（所謂、温度変化による温度−色濃度について小さいヒステリシス幅を示して変色する）タイプである。
又、本出願人が先に提案した特公平４−１７１５４号公報、特開平６−１３５１４４号公報等に記載されている、大きなヒステリシス特性を示して変色する色彩記憶性感温変色性色素を含む熱変色性材料（即ち、温度変化による着色濃度の変化をプロットした曲線の形状が、温度を変色温度域より低温側から温度を上昇させていく場合と逆に変色温度より高温側から下降させていく場合とで大きく異なる経路を辿って変色するタイプ：低温側変色点と高温側変色点の間の常温域において、前記低温側変色点以下又は高温側変色点以上の温度で変化させた様相を記憶保持できる）で彩色された熱変色層が挙げられる。
尚、熱変色層１２の表面には、透明樹脂或いはマット状のコーティング層を適宜、設けることができる。
次に、第２の発明について更に詳細に説明する。
【０００６】
前記した電気二重層コンデンサ２１は、公知のものを適用できる。その構成は基本セルにおいて、活性炭と電解液（希硫酸水溶液）の混合系からなり、活性炭同士の接触による短絡を防止するため電気的絶縁性の多孔質セパレーターを介在させて構成し、前記固体と液体との異なった二層が接触すると、その界面において正負の電荷が極めて短い距離を隔てて相対して分布し、そこへ外部から電圧を印加すると、更に大きな電荷を短時間で蓄える作用をなすものであり、本発明における低電圧の印加により作動する玩具要素への通電手段として有効に機能する。市販品として、松下電子部品株式会社製の商品名ゴールドキャパシタＡＬシリーズ（円筒形であり、単セル２．５Ｖ耐電圧、容量０．２２Ｆ（外径寸法：φ６．８×Ｌ２１ｍｍ）〜１０Ｆ（外径寸法：φ１８×Ｌ３５ｍｍ）のものを例示できる。  前記した電気二重層コンデンサ３１は、蓄電池的機能を果たし、電気容量はコンデンサと較べ大容量であり、大電流の瞬時の放電が可能であり、電源電池の電力を小分けして蓄えるので、放電電力は限られており、過熱によるトラブルを発生させず、温度センサや制御回路が不要である。又、電源電池の容量が減少したとしても、充電時間が長くなるだけであり、一回の放電出力は略一定であり、電池を経済的に使用できる。又、放電特性が電池より優れており、瞬時に所要電流を放電する。
【０００７】
前記直流電源体３としては、乾電池、太陽電池等のバッテリ−、或いはＡＣアダプターによるＤＣ変換電流を適用でき、電気二重層コンデンサ２１は前記直流電源よりの電流を受けて充電され、大電流を瞬時に放電し、前記充放電は繰り返しの適用に際して機能を低下させることもなく、玩具要素を繰り返し作動させるために効果的に機能する。
【０００８】
電気二重層コンデンサ２１からなる通電変色具２は、前記直流電源から所要電流を受けて充電された後、前記電源から分離され、単体として通電発熱層１１に放電電流を供給して作動させ、電力消費後にあっては、前記充電−放電操作により繰り返しの通電、作動を行うことができる。
前記電気二重層コンデンサ２１を単体の通電手段として適用し、利便性、安全性、持久性を付与させるために、プラスチック製の容筒等からなる保護部材２２に主体部を収容させ、端子部２３を通電発熱変色体１の電極１７に接続、接続解除自在に構成し、更には端子部２３が前記電極１７以外の導電材料に接触することによるショートを回避させるショート防止機構２４等が設けられる。前記における保護部材２２は、玩具性或いは意匠性を高めるために適宜形象に造形したプラスチック成形体等を適宜使用できる。
【０００９】
【作用】
第１の発明において、通電発熱層１１は電気抵抗値の低い、良導電性の金属材料により、発熱所要部位の抵抗値を熱変色層を変色させるに要する適正温度に昇温させるよう設計し、この際、単位面積当り特定の発熱量に設定されているので、低電圧の印加により速やかに適正温度に昇温され、熱変色層１２を変色させ、非変色像１５を視覚させる。中でも、銅箔のエッチングにより発熱回路を形成する系にあっては、低電圧の印加に即応する適正な良導電性と、目的の箇所を発熱させる抵抗値を高めた細線からなる多様な均質性の発熱回路が形成されており、速やかに熱変色する多様な形状の比較的大面積の熱変色像及び非変色像１５を視覚させるのに有効に機能する。
第２の発明における、電気二重層コンデンサ２１を適用した通電変色具２は、別に用意した直流電源体３の電流を受けて充電され、放電電流を通電発熱層１１に通電して熱変色させる。
ここで、電気二重層コンデンサ２１が低抵抗であり、比較的大容量である特性に依存して、急速充放電がおこなわれ、低電圧印加による通電発熱手段として効果的に機能する。
更には、電気二重層コンデンサ２１は、その特性に依存して電源電池の電気量を小分けして蓄えており、過電流が継続して放電されることがなく、過熱によるトラブルを発生させない。
【００１０】
【実施例】
実施例１（図１〜図７参照）
図１は通電発熱により熱変色層１２を消色させ、非変色像１５（星座模様）を現出させた状態を示し、図２は前記非変色像１５が熱変色層１２で隠蔽された非通電時の状態を示す。
図３は前記星座模様を現出させるための導電発熱回路を示し、Ａ部分が星、Ｂ部分が星と星を結ぶ線に相当し、図４は前記Ａ部分の非熱変色状態の、図５は熱変色状態の各拡大縦断面説明図である。図６は前記Ｂ部分の非熱変色状態の、図７は熱変色状態の各縦断面説明図である。
前記における導電発熱回路は、ＰＥＴフイルム（ポリエチレンテレフタレートフイルム）に０．３μｍ厚の銅蒸着薄膜を形成した加工フイルム基材をエッチング加工により形成した、２ｍｍ幅の発熱回路であり、両端部を５ｍｍ幅となして電極１７を構成する（通常、リング状導電部材を取り付け、通電変色具２の端子２３との接続の便宜を図る）。前記通電発熱回路は、発熱回路の全長が４５ｃｍであり、単位面積当り発熱量は、概略１．２３Ｗ／ｃｍ２  であった。
前記導電発熱回路の上層に非変色性白色顔料インキによる印刷層を形成して、前記回路を隠蔽した後、非変色像１５（星座模様）を非変色性インキにより印刷形成し、前記星座模様を可逆性熱変色性インキ（３０℃以上で無色、３０℃未満で黒色を呈する）により隠蔽印刷し熱変色層１２を形成した。
得られた通電発熱体１について、１２Ｖの直流電圧を印加したところ、星座模様の上層の熱変色層が消色し、星座模様を視覚させた。前記通電を解除すると再び熱変色層１２は黒色に発色し、星座模様は不可視状態に戻った。
実施例２（図８〜図１４）
図８は通電発熱により熱変色層１２を消色させ、非変色像１５（Ａ、Ｂ、Ｃ、Ｄ、Ｅ）を現出させた状態を示し、図９は前記非変色像１５が熱変色層１２で隠蔽された非通電時の状態を示す。
図１０は前記非変色像１５を現出させるための導電発熱回路を示し、連続した発熱回路により、Ａ〜Ｅの各単離像を熱変色層の変色に伴ってって視覚させる。図１１は、前記図１０のＣ部分の拡大縦断面状態を示し、導電発熱回路上には非変色性ベース層１４が形成され、次いで所望の像を形成する輪郭をもつ熱変色層１２〔色彩記憶性熱変色性インキ（低温側変色点１８℃、高温側変色点３０℃：１８℃未満で赤色を呈し、３０℃以上で無色に変化し、室温（２５℃）で赤色或いは無色の様相を互変的に記憶保持〕を設けると共に、前記熱変色層１２を内在状態に赤色の非変色性輪郭層１６を配設する。
図１２〜図１４は、前記図１０のＣ部分に関連して、通電変色により鮮明な像を視覚させる他の例をそれぞれ示し、図１２は導電発熱回路１１の上層の非変色性ベース層１４の上層に熱変色層１２を設けると共に非変色性輪郭層１６を設けてなり、図１３は非変色層１６上に熱変色像１２を形成した例であり、図１４は、図１１の変形例であり、熱変色像１２の周辺に非変色性輪郭層１６を適宜間隔をおいて配設した例である。
前記における基材はアクリルフイルム表面に、１０μｍの銅箔層が形成されており、エッチング加工により２ｍｍ幅の発熱回路（全長８０ｃｍ）が形成されており、単位面積当り発熱量は、概略５７．５×１０−３Ｗ／ｃｍ２  であり、０．８Ｖの電圧印加により熱変色層を消色させ、前記非変色像１５（Ａ〜Ｅ）を視覚させた。前記模様は室温下て記憶保持され、一方、１８℃以下の冷却により再度、前記像を不可視状態に戻した。
実施例３（図１５〜１６）
図１５は、複数の花柄模様を複数の導電発熱回路の組み合わせにより表現した例であり、Ｄ部分の熱変色層１２を変色させ、非変色像１５（花柄模様）の一部を視覚させた状態を示し、図１３は、前記Ｄ部分を含む全体の導電発熱回路の平面状態を示す。
図１６における導電発熱回路は、ＰＥＴフイルム表面に５μｍ厚みの銅箔層が形成された基材を用い、レジストインキにより前記回路と同じ印刷像をスクリーン印刷により形成した後、エッチングにより不要の銅を溶解除去し、導電発熱回路〔２ｍｍ線幅を有し、両端を５ｍｍ幅の線（端部に電極）に形成〕を形成した。前記各導電回路（各回路の端部には電極１７がそれぞれ形成されている）の抵抗値は１．０Ω〜２．０Ωの範囲にあり、Ｄ部分の導電発熱回路の面積は約２０ｃｍ２  である。
前記導電発熱層上に非変色性ベース層１４（白色顔料インキによる印刷層）を形成し、次いで非変色像１５（花柄模様）を非変色性インキによる印刷形成し、前記花柄模様を含む全表面に色彩記憶性熱色性インキ（低温側変色点：１８℃、高温側変色点：３０℃、１８℃未満で黒色を呈し、３０℃以上で無色に変化し、室温（２５℃）で前記黒色、無色の様相を互変的に記憶保持させる）にて熱変色層１２を印刷形成した。
前記通電発熱体１は、各電極に通電することにより室温下で黒色状態とある熱変色層１２をそれぞれ消色させ、全花柄模様を現出させる。
比較例
実施例３の銅箔による導電発熱回路に代えて銀ペースト〔藤倉化成（株）製、ドータイトＦＡ−３０３〕を用いて、同様のパターンを形成した。各導電回路の抵抗値は、平均値で３０Ω〜４００Ωであり、印刷の度毎に抵抗値は変動し、均質且つ低電圧で短時間で所定温度に昇温させる回路を形成させることは出来なかった  前記Ｄ部分について、抵抗値、変色特性について、前記銅箔による系と銅ペーストによる系を比較すると以下のとおり〔（  ）内は銀ペーストの系である〕。  銅箔の系では、室温（２３℃）において、抵抗値１．７Ω（３４〜２２５Ω）、１０秒以内に熱変色層を変色完了させるための電位：２．８３Ｖ（８．６〜１４．５Ｖ）、単位面積当り電力（発熱量）：２３５×１０−３Ｗ／ｃｍ２  （４７〜１０９×１０−３Ｗ／ｃｍ２  ）をそれぞれ示した。
前記比較データにみられる如く、銀ペーストの系は、銅箔の系に較べ、抵抗値が高い上、バラツキあり、短時間に熱変色させるに要する電位も高く、低電圧の印加により速やかに高精度で熱変色させる用途には実用性を満足させ難い。
次に通電変色具２についての実施例を記載する。
電気二重層コンデンサ２１として、ゴールドキャパシタＡＬシリーズ〔（松下電子部品株式会社製）、円筒形状の外観ボディーを有し、単セル２．５Ｖの耐電圧、静電容量３．３Ｆ、１ＫＨｚにおける内部抵抗０．３（Ω）、外径寸法φ１２．５×Ｌ２３．０ｍｍ、端子の径０．８ｍｍφを有してなる〕を用い、前記コンデンサ２１をプラスチック製の保護部材２２に収容させ、両端子を真鍮製鳩目２３１に接続させて端子部２３を構成しており、該端子部２３は前記保護部材２２の前端の開口端に位置させ、ショート防止のための環状突起２４に端子部２３を内在させており、前記開口端の近傍の軸線方向には電源体３との誤接続を防止するための突条２５が設けられており、前記保護部材２２の後端には、該コンデンサ２１に接続させた発光ダイオード２７の一部を突出状態に組み付けて、通電変色具２を構成する。
【００１１】
前記通電変色具２に充電電力を供給する電源体３は、プラスチックケース３２内に１．５Ｖの乾電池２個を収容し、その電極３３（真鍮製鳩目）をケース３２上面の開口部に位置させ、前記開口部には前記突条２５と係合する切り欠き３４が設けられており、前記端子部２３と誤接続することなく、係脱自在に構成される。
通電発熱体１の導電発熱回路の両端部に一体的に連接形成した５ｍｍ線幅の端部に形成した電極１７（真鍮製鳩目で構成）と接続することにより通電させる。
【００１２】
前記の通電変色具２の端子部２３と電源体３の電極３３と接続させ、１０秒間、充電した後、該変色具を単離し、端子部２３を前記通電発熱変色体１の電極１７に接続し、通電したところ、２７℃の室温下において着色状態にある熱変色層１２を１５秒間、消色状態に保持させることができ、発熱線路の温度は４８℃以上に昇温することはなかった。
前記電池による直接印加では長時間、電流が流れ続けるため、発熱線路の温度は８０℃以上に昇温した。
【００１３】
【発明の効果】
低電圧の印加（０．８〜１５Ｖ）により、発熱所要部位を通電発熱させ、熱変色層を速やかに変色させ、熱変色像は勿論、熱変色層に隠蔽状態にある非変色像を現出させて視覚させる。導電性インキによる導電印刷回路による系が、高い抵抗値であり、短時間で変色させるには高電圧の印加を必要とし、更には、電極形成の困難さ、大面積の変色が困難なこと等の不具合を一挙に解消する。
中でも、基材表面に形成した銅箔層のエッチング加工により得られる導電発熱回路は、多様な均質性の回路を比較的簡易に形成でき、前記回路に相応する像を現出、視覚させることができる。
更には、低電圧の印加により通電発熱し、熱変色させる通電発熱変色体への通電手段として、電気二重層コンデンサを適用することにより、急速充放電による特性を効果的に発現させる。
前記コンデンサは、電源体に接続して所要の電流を受けて充電された後は、単離され、コードレス状態の単体の通電要素として機能し、通電発熱層の電極に放電し、電力を消費後にあっては、再度、前記の充電操作を行い、繰り返しの放電による通電操作に供することができ、軽便性を満たすと同時に、適正の電流が瞬時に導電発熱層に供給されて発熱させ、熱変色層を効果的に変色させる。この際、過電流が継続して供給されることもなく、過熱の危険もない。更には、ショート防止機構、誤接続防止機構、ガイド機構、充放電時の発光機構等が備えられているので、幼児等にあっても操作を間違うことなく、適正に使用でき、低電圧の作動特性と相まって安全性、実用性を満たし、なかんずく、玩具分野に有効な通電変色セットを提供できる。
【図面の簡単な説明】
【図１】本発明通電発熱変色体の一実施例を示し、通電発熱により熱変色層を変色させ、非変色像を顕出させた平面状態説明図である。
【図２】図１の通電発熱変色体の非通電時の平面状態説明図である。
【図３】図１の通電発熱変色体の導電発熱回路図である。
【図４】図１の通電発熱変色体のＡ部分が非熱変色状態の拡大縦断説明図である。
【図５】図１の通電発熱変色体のＡ部分が熱変色状態の拡大縦断説明図である。
【図６】図１の通電発熱変色体のＢ部分が非熱変色状態の拡大縦断説明図である。
【図７】図１の通電発熱変色体のＢ部分が熱変色状態の拡大縦断説明図である。
【図８】本発明通電発熱変色体の他の実施例を示し、通電発熱により熱変色層を変色させ、非変色像を顕出させた平面状態説明図である。
【図９】図８の通電発熱変色体の非通電時の平面状態説明図である。
【図１０】図８の通電発熱変色体の導電発熱回路図である。
【図１１】図８の通電発熱変色体のＣ部分の拡大縦断説明図である。
【図１２】図８のＣ部分の他の例の拡大縦断説明図である。
【図１３】図８のＣ部分の他の例の拡大縦断説明図である。
【図１４】図８のＣ部分の他の例の拡大縦断説明図である。
【図１５】本発明通電発熱変色体の他の実施例を示し、通電発熱によりＤ部分の熱変色層を変色させ、非変色像を顕出させた平面状態説明図である。
【図１６】図１５の通電発熱変色体の導電発熱回路図である。
【図１７】本発明通電発熱変色体及び通電変色具セットの各斜視図である。
【図１８】本発明通電変色具の適用による操作説明図である。
【符号の説明】
１  通電発熱変色体
１１  通電発熱層
１２  熱変色層
１３  非導電性支持体
１４  非変色性ベース層
１５  非変色像
１６  非変色性輪郭層
１７  電極
１８  非変色性隠蔽層
２  通電変色具
２１  電気二重層コンデンサ
２２  保護部材
２３  端子部
２３１  リング状導電部材
２３２  バネ
２４  ショート防止機構
２５  誤接続防止機構
２６  ガイド機構
２７  発光体
３  電源体
３１  電源
３２  ケース
３３  電極
３４  誤接続防止機構
【図１】
0003557540.tif 000002
【図２】
0003557540.tif 000003
【図３】
0003557540.tif 000004
【図４】
0003557540.tif 000005
【図５】
0003557540.tif 000006
【図６】
0003557540.tif 000007
【図７】
0003557540.tif 000008
【図８】
0003557540.tif 000009
【図９】
0003557540.tif 000010
【図１０】
0003557540.tif 000011
【図１１】
0003557540.tif 000012
【図１２】
0003557540.tif 000013
【図１３】
0003557540.tif 000014
【図１４】
0003557540.tif 000015
【図１５】
0003557540.tif 000016
【図１６】
0003557540.tif 000017
【図１７】
0003557540.tif 000018
【図１８】
0003557540.tif 000019